(57)【要約】      （修正有）【課題】輸送時のリフィル単体でのリールの不要な回転防止と使用時におけるリールの回転の許容をスムーズに行うことを両立させ得る転写具を提供する。【解決手段】転写具１は、リフィル３が、転写テープを巻回した繰出リール３２及びこの繰出リール３２が転写具本体２内に保持されていないときには繰出リール３２の回転を禁止するとともに繰出リール３２を転写具本体２へ装着する際に繰出リール３２から転写具本体２へ伝えられる荷重により繰出リール３２の回転を許容し得る回転禁止機構Ｘを有する。【選択図】図７
2014054806.tif 000002
【特許請求の範囲】
【請求項１】
転写ヘッドに周回された状態で転写対象物に押し付けられることにより転写物を転写対象物へ転写し得る転写テープを収容し得る転写具本体と、
この転写具本体に装着され得るものであり、前記転写テープを巻回するためのリール及びこのリールが前記転写具本体内に保持されていないときには前記リールの回転を禁止するとともに前記リールを前記転写具本体へ装着する際に前記リールから前記転写具本体へ伝えられる荷重により前記リールの回転を許容し得る回転禁止機構を有するリフィルとを具備することを特徴とする転写具。
【請求項２】
前記リールが、前記巻回させた転写テープを繰出す繰出リールと、この繰出リールから繰出され前記転写ヘッドを周回した後の前記転写テープを巻取る巻取リールとを有するものであり、
前記回転禁止機構が、前記繰出リールの回転を禁止し得るものである請求項１記載の転写具。
【請求項３】
前記回転禁止機構が前記リールと当該リールを保持するリフィルベースとの間に設けられている請求項１又は２記載の転写具。
【請求項４】
前記回転禁止機構が、前記リールに設けられた複数の開口と、この開口内に挿入してリールの回転を禁止し得る回転禁止端と、前記リールから伝えられる荷重により弾性変形し前記回転禁止端を前記開口の外へ移動させる弾性変形部とを有している請求項１、２又は３記載の転写具。
【請求項５】
前記開口が前記リールの軸心方向に開口するとともに前記回転禁止端が前記軸心方向に接離し得るものである請求項４記載の転写具。
【請求項６】
前記回転禁止機構が、前記リールが前記転写具本体に装着される前に前記転写具本体に当接し得る当接端を有している請求項１、２、３、４又は５記載の転写具。
【請求項７】
転写ヘッドに周回された状態で転写対象物に押し付けられることにより転写物を転写対象物へ転写し得る転写テープを収容し得る転写具本体に少なくとも一部が収容された状態で使用される転写具のリフィルであって、
前記転写テープを巻回したリールと、
このリールが前記転写具本体内に保持されていないときには前記リールの回転を禁止するとともに前記リールを前記転写具本体へ装着する際に当該リールから前記転写具本体へ伝えられる荷重により前記リールの回転を許容し得る回転禁止機構とを具備することを特徴とする転写具のリフィル。
【発明の詳細な説明】
【技術分野】
【０００１】
本発明は、転写物を設けた転写テープをリールに巻き取らせてなるものであって、非使用時にリールの回転を禁止する回転禁止機構を有する転写具のリフィル及び当該リフィルを有する転写具に関する。
【背景技術】
【０００２】
従来、転写テープを巻回保持するリールを少なくとも有するリフィルを具備するとともに、このリフィルを転写具本体に対して着脱可能に構成している転写具が広く知られている。このような転写具において、従来は、輸送中等にリールが不必要に回転して弛んでしまうこと等を防ぐべく、厚紙等で構成され前記リールに挿入可能な回り止め部材を挿入した形で流通させることや、前記リフィルを包装する台紙に前記リールに係り合うための回り止め構造を設け、当該台紙と前記リフィルとを係り合わせた形で流通させることが多く行われている。（例えば、特許文献１を参照）。
【０００３】
そして上述したような回り止め部材を用いずとも輸送中等のリフィルの弛みを防止すべく、リフィル側に回り止めの為の機構を予め設けておき、当該リフィルの転写具本体への装着時、或いはキャップ開成時等の装着後から使用に至る前の段階の動作によってリフィル側の回り止めの為の機構を解除するための解除機構を転写具本体側に設けている転写具も提案されている（例えば、特許文献２及び特許文献３参照）。
【０００４】
しかしながら上記のようなものでは本体側にリールの回転を許容するための格別の機構を別途設けなければならないため、転写具の構成が複雑なものとなるか、或いは転写具本体内の空間を利用する自由度が制限されるという不具合を招来するものとなっていた。
【先行技術文献】
【特許文献】
【０００５】
【特許文献１】特開２００９−２９０５４号公報
【特許文献２】特開２０１０−０１７８５５号公報
【特許文献３】特開２０１１−１２１２０３号公報
【発明の概要】
【発明が解決しようとする課題】
【０００６】
本発明は、上述したような不具合に着目したものであり、転写具本体を簡素な構成としながらも輸送時のリフィル単体でのリールの不要な回転防止と使用時におけるリールの回転の許容をスムーズに行うことを両立させ得る転写具、及び当該転写具に用いられるリフィルを提供することを目的としている。
【課題を解決するための手段】
【０００７】
本発明は、このような目的を達成するために、次のような手段を講じたものである。
【０００８】
すなわち本発明に係る転写具は、転写ヘッドに周回された状態で転写対象物に押し付けられることにより転写物を転写対象物へ転写し得る転写テープを収容し得る転写具本体と、
この転写具本体に装着され得るものであり、前記転写テープを巻回するためのリール及びこのリールが前記転写具本体内に保持されていないときには前記リールの回転を禁止するとともに前記リールを前記転写具本体へ装着する際に前記リールから前記転写具本体へ伝えられる荷重により前記リールの回転を許容し得る回転禁止機構を有するリフィルとを具備することを特徴とする。
【０００９】
また、本発明に係る転写具のリフィルは、転写ヘッドに周回された状態で転写対象物に押し付けられることにより転写物を転写対象物へ転写し得る転写テープを収容し得る転写具本体に少なくとも一部が収容された状態で使用されるものであって、前記転写テープを巻回したリールと、このリールが前記転写具本体内に保持されていないときにはリールの回転を禁止するとともにリールを前記転写具本体へ装着する際に当該リールから前記転写具本体へ伝えられる荷重によりリールの回転を許容し得る回転禁止機構とを具備することを特徴とする。
【００１０】
このようなものであれば、リフィルの自重により、具体的にはリフィルが具備しているリールから転写具本体に掛かる荷重によりリールの回転を許容する回転禁止機構を設けることで、転写具本体を簡素な構成としながらも輸送時のリフィル単体でのリールの不要な回転防止と使用時におけるリールの回転の許容をスムーズに行うことを両立させることができる。
【００１１】
ところで、リフィルを転写具本体に取り付けるタイミングとは、通常殆どの場合が未使用のリフィルであることを鑑みると、前記リールが、前記巻回させた転写テープを繰出す繰出リールと、この繰出リールから繰出され前記転写ヘッドを周回した後の前記転写テープを巻取る巻取リールとを有するものであれば、前記回転禁止機構が、未使用時に転写ヘッドを周回する前の殆どの転写テープを巻回している前記繰出リールの回転の方を禁止し得るものとしておくことが望ましい。
【００１２】
そして回転禁止機構の具体的な構成としては、前記リールと当該リールを保持するリフィルベースとの間に設けるものとすることが好ましい。
【００１３】
輸送時のリールの回転を有効に禁止し得る構成として、前記回転禁止機構が、前記リールに設けられた複数の開口と、この開口内に挿入してリールの回転を禁止し得る回転禁止端と、前記リールから伝えられる荷重により弾性変形し前記回転禁止端を前記開口の外へ移動させる弾性変形部とを有するものとした構成を挙げることができる。
【００１４】
リールの回転をより確実に禁止し、当該禁止した状態を有効に維持しておくためには、前記開口が前記リールの軸心方向に開口するとともに前記回転禁止端が前記軸心方向に接離し得るものとすることが望ましい。
【００１５】
回転禁止機構がリールの装着時により確実に作動し得るようにするためには、前記回転禁止機構を、前記リールが前記転写具本体に装着される前に前記転写具本体に当接し得る当接端を有したものとすることが望ましい。
【発明の効果】
【００１６】
本発明によれば、転写具本体を簡素な構成としながらも輸送時のリフィル単体でのリールの不要な回転防止と使用時におけるリールの回転の許容をスムーズに行うことを両立させ得る転写具、及び当該転写具に用いられるリフィルを提供することができる。
【図面の簡単な説明】
【００１７】
【図１】本発明の一実施形態に係る正面図。
【図２】同平面図。
【図３】同斜視図。
【図４】同実施形態に係る分解斜視図。
【図５】同要部の斜視図。
【図６】同実施形態に係る分解した中央縦断面図。
【図７】図６に係る作用説明図。
【図８】同実施形態に係る要部を示す斜視図。
【図９】図８に係る作用説明図。
【発明を実施するための形態】
【００１８】
以下、本発明の一実施の形態について図面を参照して説明する。
【００１９】
本実施形態に係る転写具１は、転写テープＴをリールに巻装した状態で保持するリフィル３と、このリフィル３を装着してなる転写具本体２とを有する。
【００２０】
本実施形態に係る転写具１は、リフィル３が、前記転写テープＴを巻回した繰出リール３２及びこの繰出リール３２が前記転写具本体２内に保持されていないときには繰出リール３２の回転を禁止するとともに繰出リール３２を前記転写具本体２へ装着する際に繰出リール３２から前記転写具本体２へ伝えられる荷重により繰出リール３２の回転を許容し得る回転禁止機構Ｘを有するものである。
【００２１】
以下、転写具１の各部の構成について説明する。
【００２２】
リフィル３は、図１乃至図５に示すように、樹脂の一体成形からなるリフィル本体３１と、このリフィル本体３１に取り付けられた繰出リール３２並びに巻取リール３３と、転写ヘッド３４とを具備している。リフィル本体３１は、平板状のリフィルベース５と、転写具本体２に取り付けられるための取付部３１１と、繰出リール３２を支持する繰出側支軸３１２と、巻取リール３３を支持する巻取側支軸３１３と、リフィルベース５に一体に設けられた回転禁止部４とを有している。リフィルベース５は、転写ヘッド３４から巻取リール３３を経て繰出リール３２に至る一端側から他端側までを略直線状に繋ぐものである。このリフィルベース５は繰出リール３２及び巻取リール３３の間で繰出リール３２に巻装された転写テープＴよりも正面視若干外側へ突出させた把手部５１と、先端が巻取リール３３に係り合うことにより巻取リール３３の逆転を防止するためのラチェット爪５２とを有している。取付部３１１は、リフィルベース５の一端側において厚み方向に突出する円筒状のものであり、当該円筒に設けられた取付穴３１４により転写具本体２に取り付けられる。繰出側支軸３１２は繰出リール３２を抜脱不能且つ回転可能に支持するものである。巻取側支軸３１３は巻取リール３３を抜脱不能且つ回転可能に支持するものである。これら繰出側支軸３１２及び巻取側支軸３１３は、先端が転写具本体２に当接することで、リフィル３の厚み方向の位置決めを行っている。そして回転禁止部４は繰出リール３２側に係り合って繰出リール３２の回転を禁止し得る回転禁止端たる係止部４２と、転写具本体２に当接し得る当接端４１と、当接端４１が転写具本体２に当接する差異にリールから伝えられる荷重により弾性変形し前記係止部４２を前記繰出リール３２との係り合いを解除する弾性変形部４３とを有している。繰出リール３２は、前記リフィル本体３１の繰出側支軸３１２に支持されつつ転写テープＴを巻装したものである。この繰出リール３２は、合成樹脂により一体に成形されている。繰出リール３２は、リフィル本体３１に支持される軸受部３２１と、転写テープＴを巻装する胴部３２２と、巻装された転写テープＴのずれを防止するためのフランジ３２３とを有している。そして本実施形態では繰出リール３２のフランジ３２３の縁部に複数の開口たる係止穴３２４を円周状に並べ設けている。巻取リール３３は、前記リフィル本体３１の巻取側支軸３１３に支持されたものであり、転写具１の使用に応じて転写テープＴを巻装していくものである。この巻取リール３３はリフィル本体３１に支持される軸受部３３１と、転写物を転写した後の転写テープＴを巻装する胴部３３２と、巻装する転写テープＴのずれを防止するためのフランジ３３３とを有している。本実施形態では、リフィル本体３１側の一方のフランジ３３３には前記ラチェット爪５２を係り合い逆転防止機構を構成するラチェット歯３３５が設けられている。前記一方のフランジ３３３に対面する他方のフランジ３３３には、転写具本体２側に噛合して連動機構を構成するための巻取ギヤ３３４が一体に形成されている。転写ヘッド３４は、転写ヘッド３４はリフィル本体３１の前記取付部３１１に一体に形成されたヘッド本体３４１と、このヘッド本体３４１に支持された転写ローラ３４２とを備えたものである。ヘッド本体３４１は取付部３１１に一体に設けられた板状のものであり、先端側両側には転写テープＴの横ずれを防止するための対をなす概略三角形状をなしたガイドが設けられている。転写ローラ３４２は、前記ガイドの先端間に回転可能に取り付けられている。
【００２３】
転写具本体２は、リフィル３を介して転写テープＴを収容し得るものである。この転写具本体２は、第一ケース２１と、この第一ケース２１に回転可能に取り付けられた第二ケース２２と、第一ケース２１に回転可能に取り付けられたキャップ２３と、第一ケース２１に取り付けられた繰出ギヤ２４と、繰出ギヤ２４にクラッチ２５を介して取り付けられた回動端２６とを有している。第一ケース２１は、リフィル３の背面から側面に至るまでを略覆うものであり、リフィル本体３１の取付部３１１を固定するための第一取付リブ２１ａと、巻取リール３３を直接支持する巻取軸２１ｂと、繰出リール３２を間接的に支持する繰出軸２１ｃと、第二ケース２２に回転可能に係り合いヒンジを構成し得る第一ヒンジ部２１ｄとを有している。第二ケース２２は、リフィル３の正面側を覆う透明な樹脂からなるものである。この第二ケース２２は、リフィル本体３１の取付部３１１を固定する第二取付リブ２２ａと、リフィル３装着後の巻取リール３３及び繰出リール３２をそれぞれ押える巻取側押え部２２ｃ及び繰出側押え部２２ｂと、前記第一ヒンジ部２１ｄに係り合いヒンジを構成する第二ヒンジ部２２ｄとを有している。キャップ２３は、第一ケース２１に回動可能に取り付けられたものであり、転写ヘッド３４を被覆して不使用時に転写ヘッド３４が周りのものに当接することを回避する被覆姿勢と、第一ケース２１に添接して転写ヘッド３４を転写具本体２から表出させる使用姿勢とで位置決めし得るものとなっている。繰出ギヤ２４は、繰出軸２１ｃに抜脱不能且つ回転可能に取り付けられており、繰出軸２１ｃの先端側に回動端２６を取り付けている。詳述すると、繰出ギヤ２４は、円板形状のギヤ部分と繰出軸２１ｃの先端側に近接した先端部分とを有し、先端部分をオーバーハング形状に形成している。そして当該オーバーハング部分に円板部分から回動端２６を押し付けるべく例えば金属製のスプリングを取り付けることによりクラッチ２５を構成している。
【００２４】
しかして本実施形態に係る転写具１のリフィル３は上述の通り、前記転写テープＴを巻回したリールである繰出リール３２が前記転写具本体２内に保持されていないときには繰出リール３２の回転を禁止するとともに繰出リール３２を前記転写具本体２へ装着する際に繰出リール３２から前記転写具本体２へ伝えられる荷重により繰出リール３２の回転を許容し得る回転禁止機構Ｘを具備している。
【００２５】
以下、図６乃至図９において、リフィル３を転写具本体２に装着する際の回転禁止機構Ｘの作用について説明する。なお図８及び図９については、説明の便宜上、第二ケース２２の図示を省略する。
【００２６】
回転禁止機構Ｘは、リフィル本体３１の一部であるリフィルベース５側に設けられた回転禁止部４と、繰出リール３２に設けた係止穴３２４とによって構成されている。換言すれば回転禁止機構Ｘは、繰出リール３２とリフィルベース５との間に設けられている。
【００２７】
まず、図６及び図８に示すように、回転禁止部４を構成する係止部４２は、繰出リール３２に設けられ当該繰出リール３２の軸心方向に開口する係止穴３２４に挿通されることで繰出リール３２の回転を禁止している。
【００２８】
そして図７及び図９に示すようにリフィル３を装着すべく繰出リール３２、回動端２６、巻取リール３３を巻取軸２１ｂ、そして取付部３１１を第一取付リブ２１ａの位置に合わせ、リフィル３を載置する。その結果、回転禁止部４の当接端４１が第一ケース２１の縁部に当接する。このとき、繰出リール３２及び当該繰出リール３２に巻挿された転写テープＴの重み、つまりリフィル３自体の自重によりリフィルベース５がそのまま沈み込む。そして弾性変形部４３がリフィルベース５の沈み込みに応じて弾性変形することにより、係止部４２が係止穴３２４から離間する。詳述すると当接端４１が縁部に当接するとき、この当接端４１が支点となるとともに、繰出側支軸３１２が力点となる。その結果係止部４２が作用点となることで、係止部４２の速やかな係止穴３２４からの離間動作が実現される。また本実施形態では、作用点である係止部４２を支点である当接端４１と力点である繰出側支軸３１２との間に作用点である係止部４２を設けているため、係止部４２の速やかな動作が担保される。
【００２９】
また第二ケース２２を回転させて閉じた場合には、第二ケース２２の繰出側押え部２２ｂ、巻取側押え部２２ｃがリフィル本体３１の繰出側支軸３１２、巻取側支軸３１３に近接する位置に位置付けられるため、使用中にリフィル３が厚み方向に動作しようとしても第二ケース２２に接することで位置決めされる。これにより、第二ケース２２を閉じた状態では常に係止部４２は係止穴３２４から離間した位置に位置付けられる。
【００３０】
以上のような構成により、本実施形態に係る転写具１は、リフィル３の自重を利用した回転禁止機構Ｘを設けているので、転写具本体２を簡素な構成としながらも輸送時のリフィル３単体でのリールの不要な回転防止と使用時におけるリールの回転の許容をスムーズに行うことを両立せしめている。
【００３１】
また前記回転禁止機構Ｘが繰出リール３２の回転を禁止するものであるので、未使用時のリフィル３における転写テープＴの重さを有効に活かしながら繰出リール３２の回転の許容を確実に行い得る。
【００３２】
そして繰出リール３２とリフィルベース５との間に回転禁止機構Ｘを設けているので、リフィル３自体をコンパクトさを有効に維持している。
【００３３】
また本実施形態では回転禁止機構Ｘを、前記リールに設けられた複数の開口たる係止穴３２４と、この係止穴３２４内に挿入してリールの回転を禁止し得る係止部４２と、前記リールから伝えられる荷重により弾性変形し前記係止部４２を前記係止穴３２４の外へ移動させる弾性変形部４３とによって簡素な構成にて実現している。
【００３４】
また繰出リール３２の回転を禁止した状態を有効に維持すべく本実施形態では、前記係止穴３２４が前記リールの軸心方向に係止穴３２４するとともに前記係止部４２が前記軸心方向に接離し得る構成を適用している。
【００３５】
回転禁止機構Ｘがリールの装着時により確実に作動し得るようにするために本実施形態では、繰出リール３２が前記転写具本体２に装着される前に前記転写具本体２に当接し得る当接端４１を設け、弾性変形部４３と当接端４１との間に係止部４２を設けている。
【００３６】
以上、本発明の実施形態について説明したが、各部の具体的な構成は、上述した実施形態のみに限定されるものではなく、本発明の趣旨を逸脱しない範囲で種々変形が可能である。
【００３７】
例えば、上記実施形態ではリフィルの自重によるリフィルの厚み方向の移動を利用してリールの回転を許容する態様を開示したが、勿論、リールの自重を利用したものであればリフィルの動作方向は問わない。また上記実施形態ではリールの内、新品時に殆どの転写テープを巻回している繰出リール側に回転禁止機構を設けた態様を開示したが勿論、巻取リール側に回転禁止機構を設けた態様や、両方のリールそれぞれに回転禁止機構を設けた態様としても良い。例えば巻取リール側に回転禁止機構を設ける場合には、上記の逆転防止機構の位置において前記ラチェット歯を利用する態様も可能である。そして上記実施形態ではクラッチを金属製のスプリングを利用して実現した態様を開示したが勿論、部品同士の係合時の摩擦を利用したものであってもよい。また繰出リールと巻取リールの連動はギヤを利用したものに限られず、繰出側、巻取側にそれぞれプーリを設け、これらプーリにベルトをすべり可能に巻き掛けた態様としても良い。その他テープの幅寸法や転写物自体の特性といった具体的な態様は上記実施形態のものに限定されることはなく、既存のものを含め、種々の態様のものを適用することができる。
【００３８】
その他、各部の具体的構成についても上記実施形態に限られるものではなく、本発明の趣旨を逸脱しない範囲で種々変形が可能である。
【産業上の利用可能性】
【００３９】
本発明は転写物を設けた転写テープをリールに巻き取らせてなるものであって、非使用時にリールの回転を禁止する回転禁止機構を有する転写具のリフィル及び当該リフィルを有する転写具として利用することができる。
【符号の説明】
【００４０】
１…転写具
２…転写具本体
３…リフィル
３２…繰出リール
３２４…開口（係止穴）
３３…巻取リール
３４…転写ヘッド
４１…当接端
４２…回転禁止端（係止部）
４３…弾性変形部
５…リフィルベース
Ｔ…転写テープ
Ｘ…回転禁止機構
【図１】
2014054806.tif 000003
【図２】
2014054806.tif 000004
【図３】
2014054806.tif 000005
【図４】
2014054806.tif 000006
【図５】
2014054806.tif 000007
【図６】
2014054806.tif 000008
【図７】
2014054806.tif 000009
【図８】
2014054806.tif 000010
【図９】
2014054806.tif 000011